(57)【特許請求の範囲】
【請求項１】
固定鉄心と、前記固定鉄心に向けて遠近移動できるようにした可動鉄心と、通電により前記可動鉄心を移動できるようにしたコイルとを有し、前記可動鉄心は当該側面に軸線方向に長く両端を開口する油路が形成されていると共に、筒状の中空管内に収容されており、
前記中空管の一方には前記固定鉄心が配置・固定され、前記固定鉄心には透孔が穿設されており、前記透孔には前記可動鉄心の作動によって被動せられるようにロッドが挿通されており、前記可動鉄心及び前記ロッドの作動時には前記透孔と前記ロッドとの間、前記固定鉄心と前記可動鉄心との間、及び前記油路を通して油の流通が行われるようにしてある直流電磁石において、
前記可動鉄心は吸着端面の小径部がテーパ面を有する凹形状であり、前記固定鉄心は前記可動鉄心の凹形状と補合するように小径部がテーパ面を有する凸形状であって、
前記固定鉄心の大径部と小径部の段部には溝部が設けられ、
非磁性材料で形成されたＣ字形状のスペーサの内周側が前記溝部に嵌まり込まれており、
前記スペーサは周面の一部を切欠開口部となした適宜幅のＣ字形状を有した本体と、前記適宜幅の略中央部に円周方向に沿って等間隔に円弧状の狭い溝を適宜長で形成し対向する位置に少なくとも２個設けた第１の溝と、前記第１の溝の一端から前記本体の中心に向けて形成され前記適宜幅の内方に導通する第２の溝と、前記第１及び第２の溝により形成された舌片部と、を備えたスペーサであって、かつ前記スペーサの内径は前記固定鉄心の小径部より小さく、前記スペーサの外径と前記中空管との間に相当の隙間が残っていることを特徴とする直流電磁石。
【請求項２】
固定鉄心と、前記固定鉄心に向けて遠近移動できるようにした可動鉄心と、通電により前記可動鉄心を移動できるようにしたコイルとを有し、前記可動鉄心は当該側面に軸線方向に長く両端を開口する油路が形成されていると共に、筒状の中空管内に収容されており、
前記中空管の一方には前記固定鉄心が配置・固定され、前記固定鉄心には透孔が穿設されており、前記透孔には前記可動鉄心の作動によって被動せられるようにロッドが挿通されており、前記可動鉄心及び前記ロッドの作動時には前記透孔と前記ロッドとの間、前記固定鉄心と前記可動鉄心との間、及び前記油路を通して油の流通が行われるようにしてある直流電磁石において、
前記可動鉄心は吸着端面の小径部がテーパ面を有する凹形状であり、前記固定鉄心は前記可動鉄心の凹形状と補合するように小径部がテーパ面を有する凸形状であって、
前記固定鉄心の大径部と小径部の段部には溝部が設けられ、非磁性材料で形成された円形状のスペーサの内周側が前記溝部に嵌まり込まれており、
前記スペーサは円形状を有した本体と、前記適宜幅の略中央部に円周方向に沿って等間隔に円弧状の狭い溝を適宜長で形成し対向する位置に少なくとも２個設けた第１の溝と、前記第１の溝の一端から前記本体の中心に向けて形成され適宜幅の内方に導通する第２の溝と、前記第１及び第２の溝により形成された舌片部と、を備えたスペーサであって、かつ前記スペーサの内径は前記固定鉄心の小径部より小さく、前記スペーサの外径と前記中空管との間に相当の隙間が残っていることを特徴とする直流電磁石。
【発明の詳細な説明】
【技術分野】
【０００１】
本発明は、産業機械等に使用される直流電磁石に関し、さらに詳細にはＤＣソレノイドにおける固定鉄心と可動鉄心の吸着端面形状の最適化と密着防止のために設ける非磁性スペーサを取付、固定を改良した直流電磁石に関する。
【背景技術】
【０００２】
直流電磁石は、通電時に可動鉄心と固定鉄心を直接吸着させると、通電を切った時に残留磁束のために可動鉄心が固定鉄心から離れにくくなる。この現象を防止するため、通常、非磁性体から成るスペーサを固定鉄心と可動鉄心との間に介在させる。また、スペーサの可動鉄心の移動方向の寸法（厚さ）が小さいほど、電磁石の発揮しうる吸引力を大きく出来ることから、可能な限り厚さを薄くしたい。そこで、従来この種の直流電磁石では、スペーサ３７（特許文献１に記載の符号を示す、以下同じ）の形状としてＣ字形形状と、馬蹄形スペーサ４８が記載されている（例えば、特許文献１。）。
【先行技術文献】
【特許文献】
【０００３】
【特許文献１】実公平５−２５２０３号公報
【発明の概要】
【発明が解決しようとする課題】
【０００４】
特許文献１に記載されているスペーサの形状の場合、該スペーサを外方向に一旦押し広げた後、固定鉄心の溝に装着している。このため、スペーサの厚さが充分な場合、押し広げたときにスペーサに作用する応力は材料の弾性限度内に収まるので、スペーサの外径は押し広げる前の寸法に戻り、大きく拡大することはない。
しかしながら、スペーサの厚さを薄くしていくと、押し広げた際の応力が材料の弾性限度を超え塑性変形領域に達するため、スペーサの外径が大きく拡大した状態になって、スペーサの拡大した外径に他の部品が干渉し、次工程の組立作業の継続が不可能になってしまう恐れがあり、問題であった。
本発明は、係る課題を解決するためになされたもので直流電磁石における可動鉄心と固定鉄心との相互の端面形状の最適化と併せ、両鉄心の密着防止のために用いる非磁性スペーサとして、スペーサ内径側に意図的に変形しやすい部分を設け、電磁石の軸方向にも変形しうるようにしたスペーサを有する直流電磁石を提供することを目的とする。
【課題を解決するための手段】
【０００５】
前記の課題を解決するため請求項１記載の本発明は、固定鉄心と、前記固定鉄心に向けて遠近移動できるようにした可動鉄心と、通電により前記可動鉄心を移動できるようにしたコイルとを有し、前記可動鉄心は当該側面に軸線方向に長く両端を開口する油路が形成されていると共に、筒状の中空管内に収容されており、
前記中空管の一方には前記固定鉄心が配置・固定され、前記固定鉄心には透孔が穿設されており、前記透孔には前記可動鉄心の作動によって被動せられるようにロッドが挿通されており、前記可動鉄心及び前記ロッドの作動時には前記透孔と前記ロッドとの間、前記固定鉄心と前記可動鉄心との間、及び前記油路を通して油の流通が行われるようにしてある直流電磁石において、前記可動鉄心は吸着端面の小径部がテーパ面を有する凹形状であり、前記固定鉄心は前記可動鉄心の凹形状と補合するように小径部がテーパ面を有する凸形状であって、前記固定鉄心の大径部と小径部の段部には溝部が設けられ、非磁性材料で形成されたＣ字形状のスペーサの内周側が前記溝部に嵌まり込まれており、前記スペーサは周面の一部を切欠開口部となした適宜幅のＣ字形状を有した本体と、前記適宜幅の略中央部に円周方向に沿って等間隔に円弧状の狭い溝を適宜長で形成し対向する位置に少なくとも２個設けた第１の溝と、前記第１の溝の一端から前記本体の中心に向けて形成され前記適宜幅の内方に導通する第２の溝と、前記第１及び第２の溝により形成された舌片部と、を備えたスペーサであって、かつ前記スペーサの内径は前記固定鉄心の小径部より小さく、前記スペーサの外径と前記中空管との間に相当の隙間を残すようにした直流電磁石とした。
また、請求項２に記載の発明は固定鉄心と、前記固定鉄心に向けて遠近移動できるようにした可動鉄心と、通電により前記可動鉄心を移動できるようにしたコイルとを有し、前記可動鉄心は当該側面に軸線方向に長く両端を開口する油路が形成されていると共に、筒状の中空管内に収容されており、
前記中空管の一方には前記固定鉄心が配置・固定され、前記固定鉄心には透孔が穿設されており、前記透孔には前記可動鉄心の作動によって被動せられるようにロッドが挿通されており、前記可動鉄心及び前記ロッドの作動時には前記透孔と前記ロッドとの間、前記固定鉄心と前記可動鉄心との間、及び前記油路を通して油の流通が行われるようにしてある直流電磁石において、
前記可動鉄心は吸着端面の小径部がテーパ面を有する凹形状であり、前記固定鉄心は前記可動鉄心の凹形状と補合するように小径部がテーパ面を有する凸形状であって、前記固定鉄心の大径部と小径部の段部には溝部が設けられ、非磁性材料で形成された円形状のスペーサの内周側が前記溝部に嵌まり込まれており、前記スペーサは円形状を有した本体と、前記適宜幅の略中央部に円周方向に沿って等間隔に円弧状の狭い溝を適宜長で形成し対向する位置に少なくとも２個設けた第１の溝と、前記第１の溝の一端から前記本体の中心に向けて形成され適宜幅の内方に導通する第２の溝と、前記第１及び第２の溝により形成された舌片部と、を備えたスペーサであって、かつ前記スペーサの内径は前記固定鉄心の小径部より小さく、前記スペーサの外径と前記中空管との間に相当の隙間を残すようにした直流電磁石とした。
【発明の効果】
【０００６】
本発明は直流電磁石における可動鉄心と固定鉄心との相互の端面形状を最適化と併せ、両鉄心の密着防止のために用いる非磁性スペーサとして、スペーサ内径側に意図的に変形しやすい部分を設け、電磁石の軸方向にも変形しうるようにしたスペーサを有する直流電磁石にすることができる。
【図面の簡単な説明】
【０００７】
【図１】本発明の実施の形態に係る直流電磁石の略縦断面図である。
【図２】図１の部分拡大図である。
【図３】図１のスペーサの拡大正面図である。
【図４】第二の実施の形態に係るスペーサの拡大正面図である。
【発明を実施するための形態】
【０００８】
本発明の実施の形態に係る直流電磁石について図面により詳細に説明する。図１は直流電磁石の正面概略図を示し、弁装置１１において、参照符号１２はバルブボディを示し、内部には油路１３が形成されており、また油路１３には周知のように被制御装置に接続される図示しないＡ，Ｂポート、圧力ポート、タンクポートなどが連通されている。参照符号１４はスプールを示し、矢印方向に進退自在に備えられている。参照符号１５はリテーナ、参照符号１６はばね部材を示し、リテーナ１５を介してスプール１４を押圧するように構成されている。参照符号１７はバルブボディ１２の上に取付けられた端子箱、参照符号１８は端子箱１７内に設けられた端子金具、参照符号１９は接続金具を示し、後述するコイル５０のプラグピン５３を接続できるように構成されており、該接続金具１９には、外部から電源供給を受けるための図示しないリード線を接続できるようにされている。
【０００９】
参照符号３０は本発明の実施例の直流電磁石を示し、該直流電磁石３０は特許文献１（実公平５−２５２０３）と略同じ構造なので、主要な部品について符号を付して詳細な説明を省略する。図１において直流電磁石３０はガイドアッセンブリ３１の外周側に着脱自在に装着されたコイルアッセンブリ３２を含む。ガイドアッセンブリ３１には固定鉄心３３が形成され、バルブボディ１２に対してねじ部４８で着脱自在に螺合されている。参照符号３４は固定鉄心３３に穿設された透孔で、ロッド３５が挿通されている。参照符号３６は透孔３４とロッド３５との間に油の流通を可能に構成された流路（油路）を示す。
【００１０】
図２において、固定鉄心３３の可動鉄心４５側の吸着端面３５´は大径部Φａ３７と小径部Φｂ３８を持つ凸形状に形成され、小径部Φｂ３８はさらにテーパ形状に加工され先端寸法径Φｃ３９が小径部Φｂ３８より小さくなるようになっている。また、大径部Φａ３７と小径部Φｂ３８の段部には、該小径部Φｂ３８より小さい溝４０が設けられており、溝径φｄは、φｂより小さくφｃより大きくなるように加工されている。参照符号４１は中空管で、非磁性リング４２と磁性体である端部材４３を溶接部６１で溶接して構成されており、さらに固定鉄心３３の溶接部６２で溶接・固定されている。参照符号４４は端部材４３に穿設された透孔４４´に挿入された手動操作用プッシュピンを示す。参照符号４５は中空管３１内に矢印方向に移動自在に内装された可動鉄心で、磁性材料で形成されている。
【００１１】
可動鉄心４５の固定鉄心側吸着面は凹形状に形成され、固定鉄心３３の凸部と接触しない程度の図２に示す隙間６３ができるように加工されている。参照符号４７は固定鉄心３３の溝４０に嵌り込むようにしたスペーサで、図３に示すように周面の一部を切欠開口部となした適宜幅のＣ字形状を有した本体４７ａと、前記適宜幅の略中央部に円周方向に沿って等間隔に円弧状の狭い溝を適宜長で形成し対向する位置に５個設けた第１の溝４７ｂと、前記第１の溝４７ｂの一端から前記本体４７ａの中心に向けて形成され適宜幅の内方に導通する第２の溝４７ｃと、前記第１及び第２の溝４７ｂ、４７ｃにより形成された舌片部４７ｄと、を備える。
図３に示すスペーサ４７において、本体４７ａに設けた第１の溝４７ｂ、第２の溝４７ｃ及び舌片部４７ｄの数は、実施例に限定されず少なくとも本体４７ａの円周方向に対向して少なくとも２個設ければよい。
ここで、スペーサ４７の内径Φｅは固定鉄心３３の小径部３８Φｂより小さく、先端径Φｃより大きく設計されており、固定鉄心３３の溝４０に嵌着し固定する構造になっている。なお、スペーサ４７は非磁性体材料（ステンレス、燐青銅など）で形成されており、外径は中空管４１との間に相当の隙間を残すようにされている。
【００１２】
参照符号３２はコイルアッセンブリを示すが、該コイルアッセンブリ３２は特許文献１（実公平５−２５２０３）と略同じ構造なので、主要な部品について符号を付して説明する。参照符号５１はケース、参照符号５０は内部にガイドアッセンブリ３１を挿入させ得るよう筒状に形成されたコイルを示す。参照符号５２はコイル５０の端部に配設したヨークを示し、前記ケース５１、前記ヨーク５２は磁性材料で構成されている。参照符号５３はプラグピンで、コイル５０のマグネットワイヤに接続されている。
【００１３】
本発明の実施の形態に係る直流電磁石３０は基本的に以上のように構成されているもので、次に動作について説明する。
端子金具１８が図示しない電源に接続されると、該接続金具１９、プラグピン５３を介してコイル５０に通電される。また、コイル５０の通電により可動鉄心４５は固定鉄心３３に吸着されスプール１４が切換る。
さらに、可動鉄心４５が固定鉄心３３に吸着された場合、固定鉄心３３と可動鉄心４５との間にスペーサ４７が介在するため、両鉄心３３、４５間に隙間６３によって形成され油流通用の油路４６が画成される。このため可動鉄心４５が移動して、それによってロッド３５が移動することによる油の流れ、すなわち弁装置１１における油路１３と中空管４１の内部における可動鉄心４５の端部材４３側の空間５７との間において油が油路３６及び油路４６を通して流れることが良好にして行われる。
【００１４】
コイル５０の通電を断つと可動鉄心４５は開放される。すなわち図１に示す弁装置１１においてスプール１４が図示しない側にばね部材の弾発力によりロッド３５を介して可動鉄心４５を図１において左側へ移動させる。この場合、両鉄心３３、４５間のスペーサ４７が介在して隙間６３があるため、残留磁気や、プランジャ間への油の綴じ込みがなく、可動鉄心４５はすぐに開放されて移動する。すなわちこの場合油路１３と可動鉄心４５の左側の空間５７との間における油の流れも支障なく行われ可動鉄心４５は円滑に作動するようにされている。
【００１５】
特にスペーサ４７は内径側に意図的に変形しやすいように適宜幅の略中央部に円周方向に沿って等間隔に円弧状の狭い溝を適宜長で形成し対向する位置に５個設けた第１の溝４７ｂと、前記第１の溝４７ｂの一端から前記本体４７ａの中心に向けて形成され適宜幅の内方に導通する第２の溝４７ｃと、第１及び第２の溝４７ｂ、４７ｃにより形成された舌片部４７ｄとを形成して変形しやすい部分を設け、電磁石の軸方向にも変形し得るようにした。このため、外方向への押し広げ量が小さくなり、材料の応力を低減し、スペーサ４７の外径の拡大を防止している。
【００１６】
図４は図２のスペーサ４７の変形例であるスペーサ６７を示す。スペーサ６７は基本的には、スペーサ４７と同じ構成であって、スペーサ４７と同一構成要素には、同一符号を付して詳細な説明を省略する。
図４に示すスペーサ６７は、円形状をしているため、該スペーサ６７の外径拡大量をさらに低減させることできる。
【符号の説明】
【００１７】
１１  弁装置
１２  バルブボディ            １３、３６、４６  油路
１４  スプール                １５  リテーナ
１６  ばね部材                １７  端子箱
３０  直流電磁石              ３１  ガイドアッセンブリ
３２  コイルアッセンブリ      ３３  固定鉄心
３５  ロッド                  ４５  可動鉄心
４７、６７  スペーサ
【図１】
0005884972.tif 000002
【図２】
0005884972.tif 000003
【図３】
0005884972.tif 000004
【図４】
0005884972.tif 000005